(57)【特許請求の範囲】
【請求項１】
支持体と、当該支持体の上部に設けられた座部とを備えた玄関用スツールにおいて、
前記座部の近傍に携帯品若しくは装身具の保持手段が一体に設けられ、この保持手段は、前記支持体の一部を座部の平面領域外に突出させて構成されていることを特徴とする玄関用スツール。
【請求項２】
支持体と、当該支持体の上部に設けられた座部とを備えた玄関用スツールにおいて、
前記座部の近傍に携帯品若しくは装身具の保持手段が一体に設けられ、この保持手段は略鉛直面内に位置する本体部と、この本体部の面内に設けられた保持部とにより構成されていることを特徴とする玄関用スツール。
【請求項３】
前記保持部は、前記座部に着座したときの腰部領域よりも上方に位置することを特徴とする請求項２記載の玄関用スツール。
【請求項４】
前記座部の下方には、当該座部の平面領域外に位置するステップが設けられていることを特徴とする請求項１，２又は３記載の玄関用スツール。
【請求項５】
前記座部の下方には、前記ステップと一体の下棚が設けられていることを特徴とする請求項４記載の玄関用スツール
【請求項６】
前記下棚の外縁側には靴脱ぎ支援部が形成されていることを特徴とする請求項５記載の玄関用スツール。
【発明の詳細な説明】
【０００１】
【発明の属する技術分野】
本発明は玄関用スツールに係り、更に詳しくは、玄関の上がり框の手前に配置することに適した玄関用スツールに関する。
【０００２】
【従来の技術】
一般に、足腰の弱い高齢者若しくは身体障害者にあっては、玄関の上がり框に上がる際又は上がり框から玄関に降りる際に、身体的に大きな負担が伴ったり、場合によっては困難になることがある。このような場合には、介護者若しくは補助者によって高齢者等の身体の一部を支えて補助することもあるが、介護者が存在しない場合には、高齢者等の負担は相当に重くなり、当該高齢者等の負担を軽減すべく、玄関用スツールを利用する場合がある。
【０００３】
一般的な玄関用スツールは、脚等を支持体として当該支持体の上部に座部を設けた構成となっている。この玄関用スツールは玄関の上がり框に上がる前に、一旦腰掛けて当該上がり框に上がるときの補助用具として利用されている。
【０００４】
【発明が解決しようとする課題】
しかしながら、このような玄関用スツールを用いる対象者である高齢者等は、外出に際して杖を携帯する場合が多くあり、傘立てのようなものが玄関内に存在しない限り、玄関用スツール近傍の壁面等に立て掛けておかなければならない。しかしながら、このような壁面への立て掛けは、杖を不安定にすることとなり、不用意な倒伏を招来し、この場合には、前屈みになるような姿勢で杖を拾い上げなければならず、その負担は決して少なくない。
【０００５】
また、上がり框と玄関のフロア面との段差が大きい場合には、玄関用スツールを用いても、補助者の付き添いがなければ上がり降りが困難になるという不都合もある。
【０００６】
【発明の目的】
本発明は、このような不都合に着目して案出されたものであり、その目的は、杖等の携帯品を身近に安定して保持することができるとともに、上がり框に対して、高齢者等の負担を軽減した状態で上がり降りすることができる玄関用スツールを提供することにある。
【０００７】
【課題を解決するための手段】
前記目的を達成するため、本発明に係る玄関用スツールは、支持体と、当該支持体の上部に設けられた座部とを備えた玄関用スツールにおいて、
前記座部の近傍に携帯品若しくは装身具の保持手段が一体に設けられ、この保持手段は、前記支持体の一部を座部の平面領域外に突出させて構成される、という構成を採っている。このような構成によれば、例えば、杖を携帯していた場合には、座部に着座するまで杖を利用し、着座した姿勢で杖を保持手段に保持させることができる。しかも、杖が保持手段に保持されることで、不用意なる倒伏も防止できる他、杖を再び使うときに、着座した位置で当該杖を手に持つことが可能となる。また、座部と保持手段との位置的な接近を図ることができる。
また、本発明に係る玄関用スツールは、支持体と、当該支持体の上部に設けられた座部とを備えた玄関用スツールにおいて、
前記座部の近傍に携帯品若しくは装身具の保持手段が一体に設けられ、この保持手段は略鉛直面内に位置する本体部と、この本体部の面内に設けられた保持部とにより構成される、という構成を採っている。このような構成によれば、保持部に支持された携帯品若しくは装身具の支持状態を安定的に保つことができる他、本体部の面内に複数の保持部を配置することができる。複数の保持部を配置した場合には、杖や、帽子等を本体部の面内に支持させることが可能となる。
【００１０】
【発明の実施の形態】
本発明において、前記保持部は、前記座部に着座したときの腰部領域よりも上方に位置するように設けるとよい。これにより、楽な姿勢で携帯品等を保持部に支持させたり、保持部から取り出したりすることができる。
【００１１】
また、前記座部の下方に、当該座部の平面領域外に位置するステップを設ける、という構成を併せて採用することが好ましい。これにより、ステップが上がり框の手前に位置するように玄関用スツールを配置することにより、上がり框と玄関のフロア面との間の段差を小さくすることが可能となる。従って、高齢者等において、フロア面から上がり框に直接上がる時の負担、及び上がり框からフロア面に降りるときの負担が解消される。なお、上がり框から玄関のフロア面に降りる際に、前記座部に一旦腰掛けた後に、足をステップに降ろす段階を経てフロア面に降りることもできる。
【００１２】
更に、前記座部の下方に、前記ステップと一体の下棚を設けるとよい。このような構成では、下棚が玄関用スツール全体の補強として作用する他、当該下棚の上下を収納領域として利用することもできる。
【００１３】
また、前記下棚の外縁側に靴脱ぎ支援部を形成することもできる。このような構成によれば、座部に腰掛けた姿勢で足首を上方に引き上げるような動作で履き物を脱ぐことができ、その後に体の向きを転換することで足をステップ上に載せることができる。
【００１４】
【実施例】
以下、本発明の実施例を図面を参照しながら説明する。
【００１５】
図１には、本実施例に係る玄関用スツールの概略斜視図が示されている。この図において、玄関の上がり框Ａと壁面Ｂとが交差するコーナー領域に玄関用スツール１０が配置されている。この玄関用スツール１０は、支持体１１と、当該支持体１１の上部に設けられた座部１２と、当該座部１２の下方に配置された下棚１３と、この下棚１３と一体に設けられて座部１２の平面領域外に位置するよううに延びるステップ１４と、前記座部１２の平面領域外に設けられた支持手段４０とを備えて構成されている。
【００１６】
前記支持体１１は、前記上がり框Ａの延出方向に沿った位置で起立する第１の側板１５と、当該第１の側板１５の一端側に連なるように設けられて前記壁面Ｂに沿う第２の側板１６と、前記座部１２の下面側から垂下するとともに前記下棚１３部分を貫通して延びる脚部１７とにより構成されている。第１及び第２の側板１５，１６は、図２及び図４に示されるように、平面視で交差角度が略９０度となる向きに設けられ、それらの下端部分及び脚部１７の下端には、アジャスタ１８が設けられている。
【００１７】
前記座部１２は一枚の板材により構成されている。この座部１２は、同一平面内で延出方向が異なるように連なる第１及び第２の直線状端縁２０，２１と、これら直線状端縁２０，２１の前記連なり側とは反対側となる端部間に延びる湾曲端縁としての円弧状端縁２２とを備えた平面形状に設けられている。第１及び第２の直線状端縁２０，２１は、それらの長さが略等しく設けられているとともに、平面視で略９０度の角度方向に延びる形状とされ、これにより、座部１２は、その平面形状が、仮想円の略１／４に対応する外縁形状をなす扇型とされている。
【００１８】
前記下棚１３は、前記第１及び第２の側板１５，１６の内面側に固定されている。この下棚１３において、第１の側板１５の反対側となる外縁側は、履き物脱ぎ支援部を構成する波形端縁２５として形成されている。下棚１３の高さ位置は、図６に示されるように、履き物Ｓを履いた状態で、人の踝近傍に略対応する高さ位置に設定されており、前記波形端縁２５の凹部２５Ａに履き物Ｓの後端上部を引っ掛けることにより、当該履き物Ｓが容易に脱げるようになっている。
【００１９】
前記ステップ１４は、前記下棚１３と同一平面内に位置するステップ面部３０と、このステップ面部３０の下面右側の前後に設けられた支持脚３１，３１と、これら支持脚３１，３１の下端にそれぞれ設けられたアジャスタ３２とを備えて構成されている。このステップ１４の前後幅Ｗ、すなわち、図２中上下方向に沿う幅は、第２の側板１６の前後幅Ｗ１よりも若干小さく設定されている。この一方、第１の側板１５の図２中右端からステップ面部３０の右端までの延出長さＬは、第１の側板１５の長さＬ１と略等しいか、それより若干大きく設けられ、これにより、前記波形端縁２５を利用して履き物Ｓを脱いだ後に、ステップ面部３０に足を乗せるときの領域が十分に確保される。
【００２０】
前記支持手段４０は、第２の側板１６を前方に延長して略鉛直面内に位置するように設けられた板状の本体部４１と、この本体部４１の上部に設けられた保持部４２とにより構成されている。本体部４１は、その上端位置が第２の側板１６の上端位置よりも高くなるように設けられており、これにより、座部１２に着座したときに、当該着座した者の腰領域よりも高い位置に保持部４２が位置するようになっている。本実施例における保持部４２は、特に限定されるものではないが、二股状の分岐部材により構成され。そして、この保持部４２の分岐した領域内に杖４５の軸部を挟み込んでこれを保持することが可能となっている。
【００２１】
次に、本実施例における玄関用スツール１０の利用方法について説明する。
【００２２】
図１に示されるように、玄関用スツール１０は、玄関の上がり框Ａと壁面Ｂとのコーナー領域に配置される。すなわち、玄関用スツール１０における座部１２の第１の直線状端縁２０を上がり框Ａに沿わせるとともにステップ１４を上がり框Ａの前部に位置させる一方、第２の直線状端縁２１が壁面Ｂに沿う位置に配置される。
【００２３】
足腰の弱い高齢者若しくは身体障害者が上がり框Ａに上がるときは、先ず、玄関用スツール１０の座部１２Ａに着座する。この際、図７（Ａ）に示されるように、上がり框Ａを背にして着座する。このとき、高齢者等が杖４５を携帯している場合には、前記保持手段４０を構成する保持部４２に杖４５の軸部を保持させればよい。そして、下棚１３に形成された凹部２５Ａ内に足首を位置させるとともに、履き物Ｓから足を抜き出す動作を行なうことで、当該履き物Ｓの後端上部が凹部２５Ａの形成縁に引っ掛かかって履き物Ｓを脱ぐことができる。この状態では、着座した者の足は、下棚１３の前方に位置することとなる。
【００２４】
両足の履き物を脱いだ後は、図７（Ｂ）に示されるように、着座姿勢を保ったまま座部１２の水平面内で尻を回転させ、高齢者等が壁面Ｂを背にする向きまで体全体の向きを方向転換すればよい。この方向転換により、足は、上がり框Ａの前方となるステップ面部３０上に位置することとなる。
【００２５】
次いで、図８（Ａ），（Ｂ）に示されるように、ステップ面部３０上で立ち上がって上がり框Ａに上がるか、或いは、着座姿勢を保ったまま、足先を上げて上がり框Ａに両足を乗せた後、尻を上がり框Ａ側に移動させながら起き上がるようにすることができる。
【００２６】
上がり框Ａから玄関に降りるときは、前述した動作とは逆の動作を行なえばよい。
【００２７】
なお、下棚１３の上面側若しくは下面側、又はステップ面部３０の下面側には、脱いだ履き物Ｓを収納することができる。
【００２８】
従って、このような実施例によれば、座部１２に腰掛けた姿勢で、つまり、転倒するおそれを回避した姿勢で携帯品としての杖４５を保持手段４０の保持部４２に支持させることができるとともに、履き物Ｓを極めて容易に脱ぐことができる。しかも、座部１２の円弧状端縁２２に沿って膝下領域を移動させることで履き物Ｓを脱いだ足をステップ面部３０上に乗せることができるため、段差の高い上がり框Ａに対して上がったり、或いは、降りたりする動作を無理なく行なうことができ、足腰の弱い高齢者等にとっての補助用具として極めて有用性を備えた玄関用スツールとすることができる。
【００２９】
なお、前記実施例では、保持手段４０の保持部４２が一個の場合を示したが、本発明はこれに限定されるものではなく、複数の保持部を設けることもできる。この場合、本体部４１の面にフック状の部材からなる保持部を設ければ、帽子等の装身具の支持に適したものとなる。また、保持手段４０の保持部は第２の側板１６を延長することによって構成したが、第２の側板１６からアーム状の部材を突出させて保持部としてもよい。
【００３０】
また、下棚１３とステップ１４とを一体に設けたが、両者を別体としてもよい。更に、ステップ１４は、第１の側板１５の面に添って図２中左右方向に長く設けたが、第２の側板１６の面に沿うように図２中上下方向に長く設けてもよい。この場合には、前記保持手段４０の本体部４１が第１の側板１５側に設けられる構成となる。
【００３１】
また、履き物脱ぎ支援部として作用する波形端縁２５を設けるに際して下棚１３を利用したが、当該下棚１３を用いることなく、波形端縁２５の形状若しくは軌跡に略対応する部材を別途に用いてもよい。但し、下棚１３を利用した構造によれば、玄関用スツール１０全体に強度的な剛性を付与することができるとともに、座部１２の下方に、上下に仕切られた収納スペースを形成できる点で有利となる。
【００３２】
また、座部１２が一枚の板材によって構成された場合を示したが、座部１２は網目状のもの等であってもよい。また、座部１２は、仮想円の略１／４に対応する外縁形状を備えたものとしたが、本発明はこれに限定されるものではない。例えば、第１及び第２の直線状端縁２０，２１の連なり側の角度が９０度未満であってもよいし、また、９０度を越える角度であってもよい。また、前記実施例のように、９０度とした場合には、上がり框Ａと壁面Ｂとのコーナー領域にぴったり収めることができる点でスペース的に無駄を生ずることがない、という利点がある。
【００３３】
【発明の効果】
以上説明したように、本発明によれば、座部の側方に携帯品若しくは装身具の保持手段を一体に設けたから、例えば、杖を携帯していた場合には、座部に着座するまで杖を利用し、着座した姿勢で杖を保持手段に保持させることができる。しかも、杖が保持手段に保持されることで、不用意なる倒伏も防止でき、杖を再び使うときに、体を前屈みにするような必要なく着座姿勢で取り出すことができる。
【００３４】
また、支持体の一部を座部の平面領域外に突出させて保持手段を構成したから、座部と保持手段との位置的な接近を図ることができる。
【００３５】
更に、略鉛直面内に位置する本体部の面内に保持部を設けて保持手段を構成したから、保持部に支持された携帯品若しくは装身具の支持状態を安定的に保つことができる他、本体部の面内に複数の保持部を配置することもできる。複数の保持部を配置した場合には、杖や、帽子等を本体部の面内に支持させることが可能となる。
【００３６】
また、前記保持部が、座部に着座したときの腰部領域よりも上方に位置するように設けられている構成により、楽な姿勢で携帯品等を保持部に支持させたり、保持部から取り出したりすることができる。
【００３７】
更に、座部の下方領域外にステップを設けたから、ステップが上がり框の手前に位置するように玄関用スツールを配置することにより、上がり框と玄関のフロア面との間の段差を小さくすることが可能となる。従って、高齢者等において、フロア面から上がり框に直接上がる時の負担、及び上がり框からフロア面に降りるときの負担が解消される。なお、上がり框から玄関のフロア面に降りる際に、前記座部に一旦腰掛けた後に、足をステップに降ろす段階を経てフロア面に降りることもできる。
【００３８】
また、前記ステップと一体の下棚を設けた構成では、下棚が玄関用スツール全体の補強として作用する他、当該下棚の上下を収納領域として利用することもできる。
【００３９】
更に、前記下棚の外縁側に靴脱ぎ支援部を形成したから、座部に腰掛けた姿勢で足首を上方に引き上げるような動作で履き物を脱ぐことができ、その後に体の向きを転換することで足をステップ上に載せることができる。
【図面の簡単な説明】
【図１】実施例に係る玄関用スツールの使用状態を示す概略斜視図。
【図２】前記玄関用スツールの平面図。
【図３】図２の正面図。
【図４】図３のＡ−Ａ線断面図。
【図５】図３のＢ−Ｂ線断面図
【図６】波形端縁を利用して履き物を脱ぐ状態を示す要部説明図。
【図７】玄関用スツールの利用方法を説明するための概略平面図。
【図８】図７における利用方法の更に次の段階を示す概略平面図。
【符号の説明】
１０  玄関用スツール
１１  支持体
１２  座部
１３  下棚
１４  ステップ
１５  第１の側板（支持体）
１６  第２の側板（支持体）
１７  脚部（支持体）
２０  第１の直線状端縁
２１  第２の直線状端縁
２２  円弧状端縁
２５  波形端縁
２５Ａ  凹部
３０  ステップ面部
Ａ  上がり框
Ｂ  壁面
【図１】
0003885548.tif 000002
【図２】
0003885548.tif 000003
【図３】
0003885548.tif 000004
【図４】
0003885548.tif 000005
【図５】
0003885548.tif 000006
【図６】
0003885548.tif 000007
【図７】
0003885548.tif 000008
【図８】
0003885548.tif 000009